(57)【要約】      （修正有）【課題】高価で特殊な鋼製樋枠を用いることなく、従来のコンクリート製樋枠を使用でき、かつ、防熱構造を備えた高炉鋳床樋の構造および樋周辺の構造を提供する。【解決手段】高炉の鋳床に設置される樋において、鉄筋コンクリート製凹型樋枠１内に施工する樋耐火物４または背面充填材３と該樋枠の内壁面との境界２に、粒子充填層、空隙、および可縮性を有する緩衝材のうち、少なくとも一つを設置した樋構造である。また、樋屈曲部において、鉄筋コンクリート製凹型樋枠の屈曲部外周側の樋壁の外側に鉄骨柱を設け、樋壁と鉄骨柱とを水平材または機械的ダンパーにより接続する樋周辺の構造である。さらに、鉄筋コンクリート製凹型樋枠の樋壁上面と鋳床面との間は、鋳床支持柱に横架された下地材に、Ｚ型形状の金物が取り付けられ１枚当たりの幅が１．５〜２ｍの防熱板を並列して懸架することにより樋ピット側壁を構成した樋周辺の構造である。【選択図】図１
2008240000.tif 000002
【特許請求の範囲】
【請求項１】
高炉の鋳床に設置され、高温流動体が流れる樋において、鉄筋コンクリート製でかつ横断面が凹型形状の樋枠内に施工する樋耐火物または背面充填材と該鉄筋コンクリート製で横断面が凹型形状の樋枠の内壁面との境界に、粒子充填層、空隙、および可縮性を有する緩衝材のうち、少なくとも一つを設置したことを特徴とする樋構造。
【請求項２】
樋屈曲部において、鉄筋コンクリート製でかつ横断面が凹型形状の樋枠の屈曲部外周側の樋壁の外側に鉄骨柱を設け、樋壁と鉄骨柱とを水平材により接続することを特徴とする樋周辺の構造。
【請求項３】
樋屈曲部において、鉄筋コンクリート製でかつ横断面が凹型形状の樋枠の屈曲部外周側の樋壁を水平方向に支持する機械的ダンパーを設置したことを特徴とする樋周辺の構造。
【請求項４】
鉄筋コンクリート製でかつ横断面が凹型形状の樋枠の外面と鋳床を支持する柱との間に空隙を設けて構成したことを特徴とする樋周辺の構造。
【請求項５】
鉄筋コンクリート製でかつ横断面が凹型形状の樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造。
【請求項６】
樋屈曲部において、請求項１に記載の構造を有する樋枠の外周樋壁の外側に鉄骨柱を設け、樋壁と鉄骨柱とを水平材により接続することを特徴とする樋周辺の構造。
【請求項７】
樋屈曲部において、請求項１に記載の構造を有する樋の樋枠の樋壁を水平方向に支持する機械的ダンパーを設置したことを特徴とする樋周辺の構造。
【請求項８】
請求項４に記載の樋周辺の構造において、樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造。
【請求項９】
請求項１、６または７に記載の樋または樋周辺の構造において、樋枠の外面と鋳床を支持する柱との間に空隙を設けて構成したことを特徴とする樋周辺の構造。
【請求項１０】
請求項１、６または７に記載の樋または樋周辺の構造において、樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造。
【請求項１１】
請求項１、６または７に記載の樋または樋周辺の構造において、樋枠の外面と鋳床を支持する柱との間に空隙が設けられるとともに、樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造。
【発明の詳細な説明】
【技術分野】
【０００１】
本発明は、高炉から出銑滓される溶銑や溶滓などの高温流動体が流れる樋における鉄筋コンクリート製の凹型樋枠構造、その周辺に配置される鋳床支持構造、および防熱構造に関するものである。
【背景技術】
【０００２】
高炉設備である鋳床には、高炉からの出銑滓により流出する溶銑や溶滓などの高温流動体を取扱うための設備が配置されており、溶銑や溶滓などを比重差により分離して、搬送車などの注入口まで導くために、主樋、溶銑樋、溶滓樋などの樋が構築されている。
【０００３】
図７は、従来の一般的な樋の横断面図である。同図に見られるように、樋は、その上面に高温流動体を流すことから、樋耐火物４および背面充填材３の耐火材と、それらを構造的に支持し、かつその外殻となる鉄筋コンクリート製でかつ横断面が凹型形状の樋枠（以下、「鉄筋コンクリート製凹型樋枠」とも記す）１により構成されており、各々が隙間のない積層構造となっている。
【０００４】
樋耐火物４は高温流動体に直接接するため、樋耐火物４としては、耐熱性および耐食性に優れた材質からなる耐火材が使われ、背面充填材３には、樋耐火物４の外側と鉄筋コンクリート製凹型樋枠１の内側との間を充填する耐火材であることから、比較的低品質な材料が使われる。樋は性能とコストとのバランスを考慮しながら、これらを組み合わせて厚さなどが決定される。
【０００５】
なお、以下の記載においては、鉄筋コンクリート製凹型樋枠１の垂直部分を「壁」と、また、凹型形状の水平部分を「底」と称することにする。
【０００６】
図８は、従来の一般的な樋とその周辺構造の横断面図である。鋳床構造を鉄骨造とした場合の鉄筋コンクリート製凹型樋枠周辺構造の従来例の多くは、同図に示すように、鋳床支持柱６と鉄筋コンクリート製凹型樋枠１の壁とが一体となる構造により構成されている。また、図９には、従来の別の一般的な樋とその周辺構造の横断面図を示す。鋳床支持柱６と鉄筋コンクリート製凹型樋枠１の壁とが、同図に示されるように設置されているタイプの多くは、鋳床支持柱６の内側と鉄筋コンクリート製凹型樋枠１の壁の外側とが接するように構成されている。
【０００７】
鉄筋コンクリート製凹型樋枠１の壁と鋳床支持梁７との隙間は、従来、図９に示すように鋼板製の防熱板９が鋳床支持柱６に溶接され、防熱板９の相互間についても、継目部分は隙間なく溶接によって接続され、張り付けられている。
【０００８】
前述の図７〜図９に示された樋構造においては、溶銑や溶滓などの高温流動体からの伝導、対流および輻射の各伝熱により高温状況下に曝されることに起因する下記の（１）〜（３）の問題があった。すなわち、
（１）前記の図７に示される構造においては、溶銑や溶滓などの高温流動体からの伝熱により高温になった樋耐火物および背面充填材は、高温流動体の流れる方向（以下、「樋軸方向」とも記す）に大きく熱膨張し、特に樋屈曲部の外側の鉄筋コンクリート製凹型樋枠壁を外側に押出し、屈曲部に亀裂を生じさせ、さらには、外側樋壁を倒壊に至らしめていた。
【０００９】
（２）前述した図８または図９に示される樋構造においては、上記（１）と同様の熱膨張による樋壁の変形により、鋳床支持柱を変形させ、鋳床の支持に支障をきたしていた。
【００１０】
（３）前述した図９に示されるように、鉄筋コンクリート製凹型樋枠の壁と鋳床支持梁との隙間に鋼板製の防熱板が取り付けられている構造においては、溶銑や溶滓などの高温流動体からの輻射熱などによって防熱板が熱膨張し、取り付けられている鋳床支持柱や鋳床支持梁を変形させ、鋳床の支持に支障をきたしていた。
【００１１】
このように、鉄筋コンクリート製凹型樋枠壁の倒壊や鋳床の支持に支障をきたした場合には、これらを緊急に修復する必要がある。したがって、その間の高温流動体の取り扱いは困難となるため、高炉の計画出銑量を維持できなくなっていた。
【００１２】
上記のような樋構造の問題点に対し、例えば特許文献１や特許文献２には、鉄筋コンクリート製凹型樋枠に替えて鋼製の樋枠を採用することにより、鉄筋コンクリート樋枠で発生する問題を解決する手段が開示されている。
【００１３】
特許文献１には、熱膨張に対し上下左右に伸縮自在な接合部を介して壁板と胴縁と支柱を組み上げた鋼製樋壁構造が開示されている。また、特許文献２には、樋流れ方向と直角方向に伸長する複数の角型鋼管を樋底部に設置して樋床を構成した鋼製樋床構造が開示されている。
【００１４】
【特許文献１】特開平１１−２６９５１７号公報（特許請求の範囲および段落［０００５］）
【特許文献２】特開２００３−２９３０１８号公報（特許請求の範囲および段落［００２１］〜［００３２］）
【発明の開示】
【発明が解決しようとする課題】
【００１５】
本発明は、前述した従来の樋構造および樋周辺の構造の問題点を解決するためになされたものであり、その目的は、高価で特殊な鋼製樋枠を採用することなく、従来の鉄筋コンクリート製凹型樋枠を使用し、コンクリート製樋枠の有する問題に対して、下記の（１）〜（６）に示す技術を提供することにある。すなわち、
（１）樋耐火物および背面充填材を構造的に支持し、かつ、その外殻となる樋枠に鉄筋コンクリートなどの非弾性材料を用いた場合においても、特に樋の屈曲部において、樋耐火物および背面充填材の熱膨張によって面外に押し出す力が鉄筋コンクリート樋枠壁へ伝達するのを遮断し、鉄筋コンクリート樋枠が亀裂などの脆性的破壊を起こして倒壊するのを防止する手段を提供する。
【００１６】
さらに詳しくは、下記の手段を提供することにある。すなわち、
（２）上記（１）にて述べた鉄筋コンクリート製凹型樋枠への熱負荷を軽減し、
（３）上記（１）の鉄筋コンクリート樋枠の脆性的破壊による倒壊の防止が、何らかの要因により一時的に達成できない場合に、鉄筋コンクリート樋枠凹型壁の変位を弾性的に支持し、かつ樋耐火物および背面充填材の温度低下にともなう収縮に追従し、変位を元に戻すことにより、
（４）樋枠の熱膨張による変位などの挙動が鋳床支持柱などの建築構造体に変形などの悪影響を与えることを防止する手段を提供する。
【００１７】
また、
（５）鉄筋コンクリート製凹型樋枠壁の上部と鋳床支持梁との隙間に設置される防熱板の熱膨張による変位などの挙動が鋳床を支持する柱などの建築構造体に変形などの悪影響を与えることを防止し、
（６）上記（５）における鋼板製の防熱板が熱変形によってその機能に支障をきたした場合に、容易にその交換を行うことができる手段を提供する。
【課題を解決するための手段】
【００１８】
本発明者らは、上記の課題を解決するために、高価で特殊な鋼製樋枠を採用することなく、従来の鉄筋コンクリート製凹型樋枠の有する問題を解決できる樋枠構造、その周辺に配置される鋳床支持構造、および防熱構造に関して研究開発を重ね、下記の（ａ）〜（ｆ）に示す知見を得て本発明を完成させた。
【００１９】
（ａ）高炉の鋳床に設置され、溶銑や溶滓などの高温流動体が流れる樋において、鉄筋コンクリート製凹型樋枠内に施工する樋耐火物または背面充填材と樋枠壁面との境界部分に、潰れやすいポーラスな物質、または適度な空隙、あるいは可縮性の高い弾性的物質を挿入する。これにより、樋耐火物および背面充填材が熱膨張した場合にも、上記の各物質または空隙が収縮してその膨張変位を吸収し、鉄筋コンクリート樋壁への応力の伝達を緩和または遮断することができる。
【００２０】
（ｂ）樋耐火物または背面充填材と樋枠壁面との境界部分に前記（ａ）の各物質および空隙の層を設けることにより、鉄筋コンクリート構造への伝熱を緩和し、熱負荷も軽減することができる。
【００２１】
（ｃ）特に、樋屈曲部外側の鉄筋コンクリート製樋壁外側に鋳床を支持する柱とは別に鉄骨柱を設け、水平材により接続するか、または樋壁を水平方向に支持する機械的ダンパーを設けることにより、下記の効果が得られる。すなわち、鉄筋コンクリート製樋壁に、熱膨張に起因する応力が伝達し、一部の脆性的な亀裂などにより変位した場合においても、樋耐火物および背面充填材の温度下降時の収縮に追従して、その変位を弾性的に押し戻すことができる。また、その後、修復を行わなくても、一部の脆性亀裂などをエキスパンション構造として、樋の外殻としての機能を維持することができる。
【００２２】
（ｄ）鉄筋コンクリート製樋壁外面と鋳床を支持する柱などの建築構造体との間に適度な空隙を設けることにより、鉄筋コンクリート製樋壁に、熱膨張による応力が伝達し、一部の脆性亀裂などにより変位した場合においても、鋳床を支持する柱の変形など、建築構造体への悪影響を回避することができる。
【００２３】
（ｅ）鉄筋コンクリート製凹型樋枠の樋壁上面と鋳床面の間には、鋳床を支持する柱に横架した下地材に、Ｚ型金物を取り付けた防熱板を懸架して樋ピット側壁を構成することにより、防熱板の熱膨張に起因する鋳床支持柱の変形などを防止し、建築構造体への悪影響を防止することができる。
【００２４】
（ｆ）上記（ｅ）のように樋ピット側壁を構成することにより、防熱板自体が熱膨張により変形してその機能を失った場合においても、部分的な交換補修のみにより、しかも容易に対処することができる。
【００２５】
本発明は、上記の知見に基づき完成されたものであり、その要旨は、下記の（１）〜（１１）に示す樋構造および樋周辺の構造にある。
【００２６】
（１）高炉の鋳床に設置され、高温流動体が流れる樋において、鉄筋コンクリート製でかつ横断面が凹型形状の樋枠内に施工する樋耐火物または背面充填材と該鉄筋コンクリート製で横断面が凹型形状の樋枠の内壁面との境界に、粒子充填層、空隙、および可縮性を有する緩衝材のうち、少なくとも一つを設置したことを特徴とする樋構造（以下、「第１発明」とも記す）。
【００２７】
（２）樋屈曲部において、鉄筋コンクリート製でかつ横断面が凹型形状の樋枠の屈曲部外周側の樋壁の外側に鉄骨柱を設け、樋壁と鉄骨柱とを水平材により接続することを特徴とする樋周辺の構造（以下、「第２発明」とも記す）。
【００２８】
（３）樋屈曲部において、鉄筋コンクリート製でかつ横断面が凹型形状の樋枠の屈曲部外周側の樋壁を水平方向に支持する機械的ダンパーを設置したことを特徴とする樋周辺の構造（以下、「第３発明」とも記す）。
【００２９】
（４）鉄筋コンクリート製でかつ横断面が凹型形状の樋枠の外面と鋳床を支持する柱との間に空隙を設けて構成したことを特徴とする樋周辺の構造（以下、「第４発明」とも記す）。
【００３０】
（５）鉄筋コンクリート製でかつ横断面が凹型形状の樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造（以下、「第５発明」とも記す）。
【００３１】
（６）樋屈曲部において、前記（１）に記載の構造を有する樋枠の屈曲部外周側の樋壁の外側に鉄骨柱を設け、樋壁と鉄骨柱とを水平材により接続することを特徴とする樋周辺の構造（以下、「第６発明」とも記す）。
【００３２】
（７）樋屈曲部において、前記（１）に記載の構造を有する樋枠の屈曲部外周側の樋壁を水平方向に支持する機械的ダンパーを設置したことを特徴とする樋周辺の構造（以下、「第７発明」とも記す）。
【００３３】
（８）前記（４）に記載の樋周辺の構造において、樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造（以下、「第８発明」とも記す）。
【００３４】
（９）前記（１）、（６）または（７）に記載の樋または樋周辺の構造において、樋枠の外面と鋳床を支持する柱との間に空隙を設けて構成したことを特徴とする樋周辺の構造（以下、「第９発明」とも記す）。
【００３５】
（１０）前記（１）、（６）または（７）に記載の樋または樋周辺の構造において、樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造（以下、「第１０発明」とも記す）。
【００３６】
（１１）前記（１）、（６）または（７）に記載の樋または樋周辺の構造において、樋枠の外面と鋳床を支持する柱との間に空隙が設けられるとともに、樋枠の樋壁上面と鋳床面との間は、鋳床を支持する柱に横架された下地材に、Ｚ型形状の金物が取り付けられ高温流動体が流れる方向の１枚当たりの幅が１．５〜２ｍの防熱板を並列して懸架することにより樋ピット側壁を構成したことを特徴とする樋周辺の構造（以下、「第１１発明」とも記す）。
【００３７】
本発明において、「高温流動体」とは、溶銑、溶滓またはこれらの混合物を意味する。
【００３８】
「粒子充填層」とは、鉱滓、バラス、耐火物などの粉体や粒状物または砂などの粒状物からなる充填層を意味する。
【００３９】
「可縮性を有する緩衝材」とは、例えば、炭酸カルシウムを主原料とした発泡ボードやセラミックファイバーまたはセラミックファイバーを成形したボードなどを意味し、温度条件や変位吸収量などにより使い分けることができる。
【００４０】
「Ｚ型形状の金物」とは、防熱板に取り付けられ、柱に横架された下地材に防熱板を懸架するための、側面がＺ型形状を有した弾性変形可能な金物を意味する。
【発明の効果】
【００４１】
本発明に係る樋構造および樋周辺の構造は、下記の効果を奏する。
【００４２】
（１）樋耐火物および背面充填材が熱膨張した場合に、砂などの粒子充填層、空隙、および可縮性を有する緩衝材が収縮することによりその膨張変位を吸収し、鉄筋コンクリート製凹型樋枠壁への応力の伝達を緩和または遮断することができるので、強度は充分でありながら弾性変形能力に乏しい材料である鉄筋コンクリートを樋枠材料として使用することができる。
【００４３】
（２）前記（１）に示す各物質および空隙を設けることにより、鉄筋コンクリート樋枠への熱負荷を軽減でき、コンクリートの熱劣化を防止することができる。
【００４４】
（３）上記構成を採用することにより、樋の熱膨張への対策を完備した極めて製造コストの安価な樋構造を実現できる。また、定期補修工事のコストを低減し、低いランニングコストのもとに維持管理を行うことができる。
【００４５】
（４）樋屈曲部の外周側樋壁の外側に鋳床を支持する柱とは別に鉄骨柱を設け、樋壁との間を水平材により接続するか、または樋壁を水平方向に支持する機械的ダンパーを設けたので、弾性変形能力に乏しい鉄筋コンクリートにより構成された樋枠が脆性亀裂などにより塑性的変位を生じた場合においても、変位を弾性的に復帰させることができる。
【００４６】
（５）前記（４）に示す事態となった場合においても、脆性亀裂などの部分をエキスパンション構造とし、鉄骨柱または機械的ダンパーを弾性支持機構とする別の構造による継続使用が可能となる。したがって、緊急修復の必要がなく、定期修理や計画的修理の期間に必要に応じて当初の構造に復帰させることができるので、計画銑鉄生産量を確保することができる。
【００４７】
（６）鉄筋コンクリート樋壁外面と鋳床を支持する柱などの建築構造体との間には適度な空隙が設けられているので、樋壁が変位しても、鋳床を支持する柱の変形など、建築構造体への悪影響を及ぼさない。それ故、樋の熱膨張による設備上の問題とは無関係に、建築構造体としての機能を維持することができ、また、修復工事における工事量および工事コストを最小限に抑制することができる。
【００４８】
（７）樋ピット側壁は、背面にＺ型金物の取り付けられた防熱板を、鋳床を支持する柱に横架した下地材に懸架することによって構成されるので、防熱板の熱膨張が鋳床を支持する柱を変形させるなど、建築構造体に及ぼす悪影響を回避することができる。これにより、防熱板の熱膨張による起因する悪影響とは無関係に、建築構造体としての機能を維持することができる。
【発明を実施するための最良の形態】
【００４９】
本発明は、前記の（１）〜（１１）に示されたとおり、樋耐火物の熱膨張に対応した樋構造および樋周辺の構造である。以下に、本発明の実施形態につき、図を参照して説明する。
【００５０】
Ａ．第１発明
図１は本発明（第１発明）に係る樋の横断面の一例を示す図である。同図において、鉄筋コンクリート製凹型樋枠１の内側に施工される樋耐火物４またはその外側に施工される背面充填材３と鉄筋コンクリート製凹型樋枠１の内壁との境界面には、粒子充填層２ａ、空隙２ｂ、または可縮性を有する緩衝材２ｃの層が設けられる。この層は単独で設けられてもよいし、少なくとも２つを組み合わせることもできる。組み合わせ方は、樋耐火物４の内面に平行な層からなる互層構造としてもよいし、樋耐火物４の内面に垂直な層を形成し、これを樋耐火物４の内面に平行な方向に重畳させる構造としてもよい。
【００５１】
ここで、粒子充填層とは、前記のとおり、鉱滓、バラス、耐火物などの粉体や粒状体または砂などの粒状体からなる充填層を意味し、また、可縮性の高い緩衝材とは、例えば炭酸カルシウムを主原料とした発泡ボード、セラミックファイバー、セラミックファイバーを成形したボードなどを意味する。そして、これらは、温度条件や変位吸収量などにより使い分けを行うことができる。
【００５２】
なお、通常は鉄筋コンクリート製凹型樋枠１と境界を接するのは背面充填材３であり、上記の層、空隙または緩衝材は鉄筋コンクリート製凹型樋枠１と背面充填材３との境界面に設けられる。しかし、樋の構造により背面充填材３が省略される場合には、上記の層、空隙または緩衝材は鉄筋コンクリート製凹型樋枠１と樋耐火物４との境界面に設ければよい。
【００５３】
Ｂ．第２発明
図２は、第２発明に係る樋屈曲部の一例を示す平面図である。上記の粒子充填層、空隙または緩衝材２（具体的には、潰れやすいポーラスな物質２ａ、空隙２ｂまたは可縮性の高い弾性物質２ｃ）は、主として同図に示されるような樋の屈曲部外側の樋壁内側に設置されるものであるが、樋形状が複雑であるなど、熱膨張の挙動に不測の要因が多い場合には、樋の全範囲にわたって、樋耐火物４または背面充填材３と樋枠１の内壁との境界面に設置してもよい。なお、図２において、樋屈曲部外側の樋壁の外側には、鉄骨柱１３が設けられ、樋壁１との間は水平接続材１４により接続されている。
【００５４】
次に、樋枠と背面充填材との境界部の充填材および境界間隔の好ましい態様について説明を加える。
【００５５】
粒子充填層や緩衝材としては、樋枠１や背面充填材３または樋耐火物４の変位への追従性が重視される。この対象材料を選定する際の要素としては、樋耐火物４および背面充填材３の熱膨張が発生したときに、想定される熱膨張代（変位）を鉄筋コンクリート製凹型樋枠１に大きな力を伝えることなく（すなわち、鉄筋コンクリート製樋枠１を押し倒すほどの力を伝えずに）自身が収縮変形することが要求される。つまり、膨張代を吸収する変形歪みを生じた時の材料の応力（反力）が鉄筋コンクリート製樋枠１を塑性変形させる応力よりも小さいことが必要である。
【００５６】
したがって、対象材料としては、ヤング率が鉄筋コンクリートおよび耐火物よりも低く、かつ、熱膨張が停止して変位が戻ったときに、それにも追従できる材料（すなわち、熱膨張による変位量が弾性範囲内である材料）がもっとも好ましい。空隙を設けて対処する場合には、大きな膨張代のケースにおいて、樋の拘束効果が全く無くなることから、別の問題が生じる可能性がある。上記の理由から、粒子充填層または緩衝材などで且つ前記条件を満たす材料を設置するのが好ましい。
【００５７】
また、樋枠の内壁面と樋耐火物または背面充填材との境界部の好ましい間隔は、樋の平面レイアウトにより想定される熱膨張代を考慮して決定される。したがって、間隔は画一的に定められないが、発明者らの検討では３０〜５０ｍｍ程度が好ましい。
【００５８】
図３は、樋屈曲部において、鉄筋コンクリート製樋枠の屈曲部外周側の樋壁の外側に設けられた鉄骨柱と樋壁との間を水平材により接続した第２発明の態様例を示す横断面図である。
【００５９】
同図に示されるとおり、樋屈曲部外周側の樋壁の外側に鉄骨柱１３を設け、樋屈曲部外周側の樋壁と鉄骨柱１３とを水平接続材１４により接続する。鉄筋コンクリート製樋壁１が何らかの要因により、一部の脆性亀裂を生じて塑性的に変位した場合には、鉄骨柱１３は水平接続材１４を通じてその変位を自身の弾性撓みにより吸収する。さらに、樋耐火物４および背面充填材３の温度が下降した時には、弾性を失った鉄筋コンクリート製凹型樋枠１に代わって弾性材としての役割を演じ、その変位を押し戻す構造となっている。
【００６０】
水平接続材１４としては、例えば、鉄筋コンクリート製樋枠の屈曲部外周側の樋壁全体に当接する平面を構成する鉄骨フレームまたは鉄板と、該平面に略垂直に接合され鉄骨柱１３に接続される水平支持部材とからなる構造物を採用することができる。
【００６１】
Ｃ．第３発明
図４は、樋屈曲部において、鉄筋コンクリート製樋枠の屈曲部外周側の樋壁を水平方向に支持する機械的ダンパーを設置した第３発明の態様例を示す横断面図である。前述の図３における水平接続材１４に替えて、機械的ダンパー１５やバネなど、弾性的作用を有する機構または材料物質を用いてもよく、想定される膨張代や設置スペースに応じて適切なものを選定すればよい。
【００６２】
Ｄ．第４発明
図５は、前記図１に示される樋およびその周辺構造に係る第４発明の態様例を示す横断面図である。同図において、樋は樋受け梁８の上に配置され、鋳床５を構造的に支える鋳床支持柱６および鋳床支持梁７と鉄筋コンクリート製凹型樋枠１の壁の間には適度な隙間１０が設けられており、鉄筋コンクリート樋枠１が高温流動体の熱などにより外側に変位しても鋳床支持構造に影響を及ばさない構造となっている。
【００６３】
Ｅ．第５発明
図６は、鉄筋コンクリート製樋枠の樋壁上面と鋳床面との間に設けられ、樋ピット壁を構成する防熱板の取付け方法を示す詳細図であり、第５発明に係る態様例に該当する。同図（ａ）は防熱板を防熱板受け下地材に懸架する前の状態の側面図を、同図（ｂ）は防熱板を同下地材に懸架した状態の側面図を、同図（ｃ）は同図（ｂ）の平面図を表す。詳細には、所定の幅を有する防熱板９の背面に取り付けられたＺ型形状の金物１１を、同図（ａ）中の破線および矢印で示すように、鋳床支持柱６間に横架した山形鋼などの下地材１２はめ込むことにより、防熱板９を下地材１２に並列に懸架し、樋ピット壁面が構成されている。これにより、防熱板９が熱膨張した場合においても、防熱板は膨張に対して拘束されることが少なく、自由度があり、したがって、鋳床支持柱６などに変形による悪影響を及ばさない構造となっている。
【００６４】
また、前記の図６に示された構造を採用したことにより、防熱板９の背面に取り付けたＺ型形状の金物１１を鋳床支持柱６間に横架した山形鋼などの下地材１２に並列に懸架して樋ピットが構成されているので、交換が容易であり、設備保守の面においても有効である。
【００６５】
防熱板の高温流動体が流れる方向の１枚当たりの幅は、１．５〜２ｍとすることが好ましい。防熱板の幅が２ｍを超えて大きくなると、交換や補修の場合に、一回の補修範囲が増大し、作業が容易ではなくなるので、並列させて懸架する意義が薄れる。一方、防熱板の幅が１．５ｍ未満では、単位面積当たりの付属金物の増加や補修加工量の増加により補修作業が煩雑となり、補修費が増大するとともに、継目が増大するので構造全体としての防熱性能が低下する。防熱板の幅が上記の範囲内であれば、防熱板自体が変形などによりその機能を失った場合においても、交換補修が容易であり、かつ部分的な交換補修で済むことから、工期の短縮およびコスト低減の面で好ましい。
【００６６】
Ｆ．第６発明〜第１１発明
さらに、第１発明、第２発明および第３発明の樋構造または樋周辺の構造の１つ以上、ならびに第４発明および第５発明の樋周辺の構造の１つ以上を組み合わせた樋構造または樋周辺の構造に係る発明を適用することにより、前記の各発明に加えてさらに一層大きな効果を得ることができる。
【産業上の利用可能性】
【００６７】
本発明の樋構造および樋周辺の構造によれば、下記の効果が得られる。
【００６８】
（１）樋の熱膨張変位を吸収し、鉄筋コンクリート製凹型樋枠壁への応力の伝達を緩和または遮断することができるので、弾性変形能力に乏しい鉄筋コンクリートを樋枠材料として使用することができ、樋の製造および補修コストを低減することができる。
【００６９】
（２）樋屈曲部の外周側樋壁の外側に鋳床を支持する柱とは別に鉄骨柱を設け、樋壁との間を水平材または機械的ダンパーにより接続するので、樋枠が脆性亀裂を発生し塑性的変位を生じた場合においても、変位を弾性的に復帰させることができる。
【００７０】
（３）鉄筋コンクリート樋壁外面と鋳床支持柱などの建築構造体との間に適度な空隙が設けられているので、建築構造体への悪影響を及ぼさない。
【００７１】
（４）樋ピット側壁は、背面にＺ型金物の取り付けられた防熱板を、鋳床を支持する柱に横架した下地材に懸架することによって構成されるので、防熱板の熱膨張が建築構造体に及ぼす悪影響を回避することができる。
【００７２】
これらにより、本発明は、銑鉄生産量の確保および銑鉄コストの低減を重要な使命とする製銑工程における樋および樋周辺の構造として広範に適用できる技術である。
【図面の簡単な説明】
【００７３】
【図１】本発明に係る樋の横断面の一例を示す図である。
【図２】樋屈曲部の一例を示す平面図である。
【図３】樋屈曲部において、鉄筋コンクリート製樋枠の屈曲部外周側の樋壁の外側に設けられた鉄骨柱と樋壁との間を水平材により接続した状況の例を示す横断面図である。
【図４】樋屈曲部において、鉄筋コンクリート製樋枠の屈曲部外周側の樋壁を水平方向に支持する機械的ダンパーを設置した状況の例を示す横断面図である。
【図５】前記図１に示される本発明の樋およびその周辺構造の一例を示す横断面図である。
【図６】鉄筋コンクリート製樋枠の樋壁上面と鋳床面との間に設けられ、樋ピット壁を構成する防熱板の取付け方法を示す詳細図であり、同図（ａ）は防熱板を防熱板受け下地材に懸架する前の状態の側面図を、同図（ｂ）は防熱板を同下地材に懸架した状態の側面図を、同図（ｃ）は同図（ｂ）の平面図を表す。
【図７】従来の一般的な樋の横断面図である。
【図８】従来の一般的な樋とその周辺構造の横断面図である。
【図９】従来の別の一般的な樋とその周辺構造の横断面図である。
【符号の説明】
【００７４】
１：鉄筋コンクリート製凹型樋枠、  ２：粒子充填層、緩衝材および空隙の総称、  ２ａ：潰れやすいポーラスな物質、  ２ｂ：空隙、  ２ｃ：可縮性の高い弾性物質、  ３：背面充填材、  ４：樋耐火物、  ５：鋳床スラブ、  ６：鋳床支持柱、  ７：鋳床支持梁、  ８：樋受け梁、  ９：防熱板、  １０：隙間、  １１：Ｚ型形状の金物、  １２：防熱板受け下地材、  １３：鉄骨柱、  １４：水平接続材、  １５：機械的ダンパー
【図１】
2008240000.tif 000003
【図２】
2008240000.tif 000004
【図３】
2008240000.tif 000005
【図４】
2008240000.tif 000006
【図５】
2008240000.tif 000007
【図６】
2008240000.tif 000008
【図７】
2008240000.tif 000009
【図８】
2008240000.tif 000010
【図９】
2008240000.tif 000011